(57)【要約】【課題】  従来の洗濯機の常識に捕らわれずに、環境に優しく、省エネタイプの洗濯機を提供する。【解決手段】  洗濯物７を収容して洗濯するための洗濯槽（外槽５，洗濯脱水槽６）と、除菌、脱臭、汚れ分解作用のうち、少なくとも１つの作用を有するミストを生成し、洗濯槽内の洗濯物７に噴霧するミスト発生装置１５とを備えた。【選択図】        図１
2005198860.tif 000002
【特許請求の範囲】
【請求項１】
洗濯物を収容して洗濯するための洗濯槽と、除菌、脱臭、汚れ分解作用のうち、少なくとも１つの作用を有するミストを生成し、前記洗濯槽内の洗濯物に噴霧するミスト発生装置とを備えたことを特徴とする洗濯機。
【請求項２】
前記ミスト発生装置は、除菌、脱臭、汚れ分解作用のうち、少なくとも１つの作用を有する液体を微細化してミストにする微細化手段を有することを特徴とする請求項１記載の洗濯機。
【請求項３】
前記ミスト発生装置は、水を静電噴霧方式で微細化してラジカルを含むミストにする微細化手段を有することを特徴とする請求項１記載の洗濯機。
【請求項４】
前記ミスト発生装置は、数μｍ〜数ｎｍの大きさのミストを発生することを特徴とする請求項１ないし請求項３のいずれかに記載の洗濯機。
【請求項５】
前記ミスト発生装置は、必要な作用の大きさに応じてミストの噴霧時間を変えることができることを特徴とする請求項１ないし請求項４のいずれかに記載の洗濯機。
【請求項６】
前記洗濯槽は、外槽と、外槽内に設けた縦軸型の洗濯脱水槽と、洗濯脱水槽の底部に設けたパルセータとを含み、洗濯槽を囲う筐体上面を構成する上面板に前記ミスト発生装置を設けて、洗濯脱水槽の上方からミストを噴霧するようにしたことを特徴とする請求項１ないし請求項５のいずれかに記載の洗濯機。
【請求項７】
前記ミスト噴霧時に、パルセータ及び／又は洗濯脱水槽を回転することを特徴とする請求項６記載の洗濯機。
【請求項８】
前記洗濯槽は、外槽と、外槽内に設けた洗濯脱水槽とを含み、さらに、乾燥風を供給するための乾燥風路を備えると共に、洗濯脱水槽内への乾燥風の吹出口をミストの噴霧口として兼用すべく、前記ミスト発生装置を乾燥風路に接続したことを特徴とする請求項６又は請求項７記載の洗濯機。
【請求項９】
前記ミスト噴霧時に、洗濯脱水槽を回転することを特徴とする請求項８記載の洗濯機。
【発明の詳細な説明】
【技術分野】
【０００１】
本願発明は、一般的な縦型の洗濯機やドラム式洗濯乾燥機等の洗濯機に関するものである。
【背景技術】
【０００２】
従来、洗濯機における洗浄では、水と洗剤を使って衣類等の汚れを落とすと共に、除菌や脱臭が行われていた（例えば下記特許文献１，特許文献２参照）
【特許文献１】特開平７−８８２７７号公（図１，図２）
【特許文献２】特開２００１−８７５９０号公報（図１，図１０）
【発明の開示】
【発明が解決しようとする課題】
【０００３】
しかしながら、従来の洗濯機では大量の水を必要とし、洗剤の界面活性剤等で環境に対して多くの負荷を加えている。また、洗浄液で洗浄した後、すすぐ、乾かすという工程に多量の水、エネルギー、時間を必要とした。
【０００４】
そこで、本願発明はこのような課題を解決するためになされたものであり、従来の洗濯機の常識に捕らわれずに、環境に優しく、省エネタイプの洗濯機を提供することを目的とするものである。
【課題を解決するための手段】
【０００５】
上記のような目的を達成するために、本願発明は、洗濯物を収容して洗濯するための洗濯槽と、除菌、脱臭、汚れ分解作用のうち、少なくとも１つの作用を有するミストを生成し、前記洗濯槽内の洗濯物に噴霧するミスト発生装置とを備えたことを特徴とするものである。
【０００６】
また、前記ミスト発生装置は、除菌、脱臭、汚れ分解作用のうち、少なくとも１つの作用を有する液体を微細化してミストにする微細化手段を有することを特徴とするものである。
【０００７】
また、前記ミスト発生装置は、水を静電噴霧方式で微細化してラジカル（遊離基，すなわち不対電子をもつ原子団または原子のことで、化学反応性が大きい）を含むミストにする微細化手段を有することを特徴とするものである。
【０００８】
また、前記ミスト発生装置は、数μｍ〜数ｎｍの大きさのミストを発生することを特徴とするものである。
【０００９】
さらに、前記ミスト発生装置は、必要な作用の大きさに応じてミストの噴霧時間を変えることができることを特徴とするものである。
【００１０】
また、前記洗濯槽は、外槽と、外槽内に設けた縦軸型の洗濯脱水槽と、洗濯脱水槽の底部に設けたパルセータとを含み、洗濯槽を囲う筐体上面を構成する上面板に前記ミスト発生装置を設けて、洗濯脱水槽の上方からミストを噴霧するようにしたことを特徴とするものである。
【００１１】
そして、前記ミスト噴霧時に、パルセータ及び／又は洗濯脱水槽を回転することを特徴とするものである。
【００１２】
また、前記洗濯槽は、外槽と、外槽内に設けた洗濯脱水槽とを含み、さらに、乾燥風を供給するための乾燥風路を備えると共に、洗濯脱水槽内への乾燥風の吹出口をミストの噴霧口として兼用すべく、前記ミスト発生装置を乾燥風路に接続したことを特徴とするものである。
【００１３】
そして、前記ミスト噴霧時に、洗濯脱水槽を回転することを特徴とするものである。
【発明の効果】
【００１４】
本願発明によれば、除菌、脱臭、汚れ分解作用のうち、少なくとも１つの作用を有するミストを生成し、洗濯槽内の洗濯物に噴霧することにより、一般の水を使って洗濯して汚れ除去、除菌、脱臭を行う洗濯機に比べ、水の大幅な節約ができ、洗剤の界面活性剤等で環境に対して負荷を加えることもなく、かつ乾燥にかける時間も少なくて済み、エネルギーの消費を抑えることができる。
【００１５】
また、除菌、脱臭、汚れ分解作用のうち、少なくとも１つの作用を有する液体を微細化してミストにすることにより、ミストが微細な液滴であるために衣類等の洗濯物の繊維の中にまで浸透することができ、効率的に除菌、脱臭、汚れの分解ができると共に、微細液滴であるためミスト濃度を著しく高めたりしなければ洗濯物をほとんど濡らすこともないので、洗濯物を温風により乾燥する必要がなく、乾燥時間とエネルギーを削減することができる。
【００１６】
また、水を静電噴霧方式で微細化してラジカルを含むミストにすることにより、除菌、脱臭、汚れ分解作用を有するラジカルを容易に手に入る水道水等から作ることによって一般家庭での使用を容易にする。
【００１７】
また、数μｍ〜数ｎｍの大きさのミストを発生することにより、大きさを数μｍ〜数ｎｍの微細液滴に限定することで乾燥時間の短縮化または乾燥の必要をなくすことができる。また、このような大きさの微細液滴とすることで、布などの内部まで容易に浸透することができる。
【００１８】
さらに、必要な作用の大きさに応じてミストの噴霧時間を変えることにより、用途に合わせて最適な効果を実現することができる。
【００１９】
また、前記洗濯槽は、外槽と、外槽内に設けた縦軸型の洗濯脱水槽と、洗濯脱水槽の底部に設けたパルセータとを含み、洗濯槽を囲う筐体上面を構成する上面板に前記ミスト発生装置を設けて、洗濯脱水槽の上方からミストを噴霧することにより、非稼動部である上面板にミスト生成装置を設けることで、振動や衝撃等からミスト発生装置を守り、耐久性の向上を図ると共に、水道水を用いてミストを発生させる場合、水道水を供給しやすくなる。また、洗濯脱水槽の上方からミストを噴霧することにより、重力に逆らわずにミストをより有効に洗濯物に噴霧できる。
【００２０】
そして、前記ミスト噴霧時に、パルセータ及び／又は洗濯脱水槽を回転することにより、洗濯物を攪拌しながらミストが噴霧されるので、ミストが洗濯物全体にかかるようになる。
【００２１】
また、前記洗濯槽は、外槽と、外槽内に設けた洗濯脱水槽とを含み、さらに、乾燥風を供給するための乾燥風路を備えると共に、洗濯脱水槽内への乾燥風の吹出口をミストの噴霧口として兼用すべく、前記ミスト発生装置を乾燥風路に接続することにより、洗濯脱水槽内への乾燥風の吹出口をミストの噴霧口として有効利用するので、ミスト専用の噴霧口を新たに形成する必要がなく、低コストで、比較的容易に実現できる。
【００２２】
そして、前記ミスト噴霧時に、洗濯脱水槽を回転することにより、洗濯物を攪拌しながらミストが噴霧されるので、ミストが洗濯物全体にかかるようになる。
【発明を実施するための最良の形態】
【００２３】
以下、本願発明の実施形態を図面を参照して詳細に説明する。
【００２４】
図１は、本願発明による洗濯機の一実施形態として縦型の全自動洗濯機を示す概略構成図であり、ミストを用いた洗濯（無水洗濯）と通常の水と洗剤を用いた洗濯が可能な洗濯機の構成を示している。
【００２５】
図１に示すように、この全自動洗濯機の洗濯機本体１は、上面に上蓋２で開閉可能な開口を有する箱型の筐体３によって、その外観が構成されている。筐体３内には、洗濯槽として、吊り棒４で筐体３から吊り下げられた外槽５と、この外槽５内に回転可能に設けられた縦軸型の洗濯脱水槽６とが備えられている。この洗濯脱水槽６に、筐体３の上面開口を介して衣類等の洗濯物７が収容される。また、洗濯脱水槽６には多数の小孔（図示せず）が形成されており、洗濯脱水槽６に供給されたミストｍや洗濯水が外槽５に溜められるようになっている。また、外槽５は、その上面開口を開閉する内蓋８により閉空間とすることができるようになっている。
【００２６】
また、図示はしないが、外槽５の底部には、外槽５に溜められた洗濯水を機外へ排出するための排水口が形成されており、この排水口には、筐体３外へと延びる排水管が接続され、その途中部には、トルクモータにより開閉される排水弁が配設されており、この排水弁が開かれると、外槽５内に溜められた洗濯水が排水管を通って機外へ排出される。
【００２７】
また、洗濯脱水槽６の底部には、外槽５内に溜められた洗濯水を攪拌して水流を発生させるためのパルセータ（攪拌翼）９が設けられている。洗濯脱水槽６及びパルセータ９は、外槽５の下方に設けられた駆動部１０によって回転駆動される。この駆動部１０は、洗濯脱水槽６及びパルセータ９を回転駆動するためのモータの他、減速機構、クラッチ機構、トルクモータ、ブレーキ機構等を有している。
【００２８】
水を用いた通常の洗い及びすすぎ時には、駆動部１０のモータと減速機構によりパルセータ９のみが正逆回転される。これにより、洗濯脱水槽６内に水流が発生して、洗濯物の洗い又はすすぎが行われる。また、通常の脱水時には、駆動部１０のモータと、トルクモータにより制御されるクラッチ機構によりパルセータ９及び洗濯脱水槽６がともに高速回転されて、洗濯脱水槽６内の洗濯物が遠心力により脱水される。
【００２９】
排水弁の開閉動作は上記クラッチ機構の動作と連携しており、パルセータ９が洗濯脱水槽６と切り離されて単独で回転可能な状態のときには排水弁は閉鎖しており、パルセータ９と洗濯脱水槽６とが一体に回転する状態のときには排水弁が開放するようになっている。
【００３０】
一方、本実施形態においては、筐体３上面を構成する上面板１１の内部後側に、ミスト生成器１２と、ミスト生成器１２で発生したミストを洗濯脱水槽６に導くためのミスト用ダクト１３と、導かれたミストを洗濯脱水槽６内に噴霧する噴霧口１４とが連結構成されている。
【００３１】
上記ミスト生成器１２は、上面板１１側に設置されていて、稼動部である駆動部１０やパルセータ９や洗濯脱水槽６から隔離されているので、振動や衝撃等が加わる危険が少なくて済むと共に、ミストｍを上から下に導く方が重力に逆らわずにミストｍをより有効に洗濯物７に噴霧できるため、洗濯物７がある洗濯脱水槽６より上の位置にある上面板１１側に設置する方が有利となる。
【００３２】
また、内蓋８により外槽５内を閉空間とすることによって、ミストｍの拡散を防ぐと共に、洗濯脱水槽６の上部開口側にミスト噴霧口１４を設けることによって洗濯物７へのミスト噴霧の効率を上げている。
【００３３】
上記ミスト生成器１２は、除菌、脱臭、汚れ分解作用を有する液体，例えば次亜塩素酸の水溶液を数μｍ〜数ｎｍの微細微粒子にミスト化し、ミスト用ダクト１３を通して噴霧口１４より洗濯脱水槽６内の洗濯物７にミストｍを噴霧する。噴霧中は洗濯脱水槽６がゆっくりと低速で回ると同時にパルセータ９も左右に回転させ、洗濯物全体にミストｍが噴霧できるようにしている。例えば、次亜塩素酸のミストｍを噴霧された洗濯物７は、次亜塩素酸のミストｍにより除菌や脱臭、有機物等の汚れの分解が行われる。ここで、上記ミスト生成器１２とミスト用ダクト１３と噴霧口１４により本願発明におけるミスト発生装置１５が構成されている。なお、ここでは、パルセータ９と洗濯脱水槽６を共に回転させて洗濯物７を効率良く撹拌するようにしたが、いずれか一方を回転させるだけでも撹拌することはできる。
【００３４】
上記の場合、ミスト粒子が非常に微細な液滴であるために洗濯物７の繊維の中にまで容易に浸透することができ、効率的に除菌、脱臭、汚れの分解を行うことができると共に、微細液滴であるためミスト濃度を著しく高めたりしなければ洗濯物７をほとんど濡らすこともないので、洗濯物７を温風により乾燥する必要がなく、乾燥時間とエネルギーを削減することができる。ただし、汚れのひどい場合などはミスト噴霧時間を長く取り濃度を高めたり、粒径を大きくして洗濯物７が噴霧液で十分に濡れるまで噴霧して効果を高める。この場合、通常の洗濯物と同様に乾燥させる工程が必要となるが、噴霧後すぐに乾燥工程に入るのではなく一定時間放置した後、乾燥工程に入る方が、次亜塩素酸と汚れ等の反応時間が十分に持てるので、より効果を高めることができる。
【００３５】
図２は、この全自動洗濯機の操作パネルに設けられたミスト設定部１２ａの構成図であり、「強」，「中」，「弱」の３つのボタン１２ｂ〜１２ｄと、各ボタン１２ｂ〜１２ｄに対応して設けられて設定状態を示すＬＥＤ等から成るランプ１２ｅ〜１２ｇが設けられている。例えば、洗濯物７の汚れがひどい場合には、「強」ボタン１２ｂを押すとその上のランプ１２ｅが点灯し、図３に示すようにミストの噴霧時間を１５分と長くなるように調整する。また、洗濯物７の汚れが普通の場合には、「中」ボタン１２ｃを押すとその上のランプ１２ｆが点灯し、図３に示すようにミストの噴霧時間を１０分と普通に調整する。また、洗濯物７の汚れが軽い場合には、「弱」ボタン１２ｄを押すとその上のランプ１２ｇが点灯し、図３に示すようにミストの噴霧時間を５分と短くなるように調整するようになっている。
【００３６】
上記ミストとしては、次亜塩素酸を例に挙げたが、次亜塩素酸以外にラジカルやオゾンなどの酸化作用を有する成分を含んだものや、銀などの金属イオンを含有するものでもよい。ただし、この場合は、選んだミストによって除菌、脱臭、汚れの分解のすべての効果を得られなくなる場合も出てくるが、３つの効果のうち必要とされる効果に合わせてミスト化する液体を選べばよい。また、酸化作用のあるミストを噴霧する場合は、ミスト生成器１２、ミスト用ダクト１３、噴霧口１４など濃度の高いミストと触れる部分には酸化に強い樹脂、またはチタン製金属などの耐食性を有する金属部品を使用するのが好ましい。
【００３７】
以上のように、本実施形態によれば、一般の水を使って洗濯して汚れ除去、除菌、脱臭を行う洗濯機に比べ、上述したようなミストを用いた無水洗濯が行えるので、水の大幅な節約ができ、洗剤の界面活性剤等で環境に対して負荷を加えることもなく、かつ乾燥にかける時間も少なくて済み、エネルギーの消費を抑えることができる。すなわち、水やエネルギーの消費を抑えると共に、環境に優しい洗濯機を実現できる。
【００３８】
また、ミスト生成器１２でミスト化する液として、塩素化合物や銀などの金属イオンを含有し、除菌、漂白、脱臭作用の成分を有する液をミスト化したり、ミスト化したミストにラジカル、次亜塩素酸、オゾンなどの酸化作用を有する成分を含んでいる場合、洗濯物の繊維の中まで浸透しやすくして効果を上げることができる。また、液に浸漬するのではないので、液が少なくて済む。さらに、液がすすぐ必要のない場合は乾かす時間を必要としないか、必要としても少なくて済む。
【００３９】
また、洗濯物の種類、除菌、脱臭、汚れの分解などの用途に合わせて、ミストを噴霧する時間を可変にしたり、ミストの大きさを可変にすることにより、用途に合わせて最適な効果を実現することができる。
【００４０】
次に、図４〜図６に示すミスト生成器１２の各実施形態について説明する。なお、それぞれで同一又は相当部分には同一符号を用いている。
【００４１】
図４に示すミスト生成器１２では、タンク２１内に蓄えられた除菌、脱臭、汚れ分解作用を有するミスト液Ｌをミスト液供給部２２からミスト発生部２３に供給している。本願発明における微細化手段を構成するミスト発生部２３は超音波方式によるもので、振動子により振動エネルギーをミスト液Ｌに与えてミスト化するものである。
【００４２】
ミスト発生部２３から発生したミストｍは、ファン２４によって強制的にミスト供給部２５に誘導され、ミスト供給部２５より図１に示したミスト用ダクト１３を通ってミスト噴霧口１４に送られる仕組みになっている。
【００４３】
このように、ミスト発生部２３で発生したミストｍはファン２４によって強制的に誘導されて洗濯脱水槽６内の洗濯物７に噴霧されることにより、ミストｍを効率的に噴霧して除菌、脱臭、汚れ分解等を効率良く行うことができる。また、ダクト１３を用いて誘導しやすくなる。
【００４４】
一方、図５に示すミスト生成器１２では、タンク２１に蓄えられた水道水Ｗをミスト液供給部２２より導電性細管２６に供給する。この導電性細管２６に高電圧発生部２７よりマイナスの高電圧（約６ｋＶ）をかけ、対向電極２８を図示のようにリング状に設けることによって、毛細管現象により導電性細管２６の上部に浸透したミスト液を高電圧により励起させる静電噴霧方式で電荷を持ったラジカル（ＯＨラジカル）成分を含んだミストｍを発生できる仕組みになっている。ここで、上記導電性細管２６，高電圧発生部２７及び対向電極２８は本願発明における微細化手段を構成している。
【００４５】
発生したミストｍは前記図４と同様にファン２４によって強制的にミスト供給部２５に誘導され、図１に示したミスト用ダクト１３を通ってミスト噴霧口１４に送られる仕組みになっている。
【００４６】
このように構成しても上記実施形態と同様な作用効果が得られると共に、除菌、脱臭、汚れ分解作用を有するラジカルを容易に手に入る水道水から作ることによって一般家庭での使用を容易にすることができる。
【００４７】
以上、超音波方式と静電噴霧方式のミスト生成器１２の実施形態を示したが、一般に超音波方式で生成できるミストｍの粒径は数μｍが限界なのに対して、静電噴霧方式は数ｎｍの粒径まで生成できるので、例えば、濡らしたくない洗濯物や繊維の目の細か洗濯物の場合は静電噴霧方式を使用し、少しぐらい濡らしてもよい洗濯物や繊維の目の粗い洗濯物などは超音波方式を使用するなど用途に合わせて使い分ければよい。さらに、一台の洗濯機に超音波方式と静電噴霧方式の両方のミスト発生部を設けておけば、用途に合わせて最適なミストサイズを選ぶことができて、利便性が向上する。
【００４８】
次に図６の実施形態について説明する。図６は、塩素を含む水道水Ｗを電極部３０で電気分解して次亜塩素酸を含む電解水を生成し、生成した次亜塩素酸を超音波方式の微細化手段であるミスト発生部２３でミスト化するミスト生成器１２である。
【００４９】
すなわち、水道水供給管２０により水道水Ｗがタンク２１に供給され、タンク２１に蓄えられた水道水Ｗは、フィルタ２９を通ってＭｇやＣａなどのミネラル分や不純物を取り除かれ、ミスト液供給部２２より電極部３０に供給される。電解用電源３１に接続された電極部３０では電気分解により次亜塩素酸を含む電解水が生成され、超音波方式のミスト発生部２３により次亜塩素酸を含んだミストｍが生成されて、ファン２４によりミスト供給部２５に誘導され、ミスト供給部２５から図１に示したミスト用ダクト１３を通ってミスト噴霧口１４に供給される。なお、水道水供給管２０により水道水Ｗが供給されるタンク２１にはオーバーフロー管３２が設けられている。
【００５０】
この図６の実施形態では、ミスト液を水道水Ｗを電気分解して作るので、液の入手が容易である。さらに、水道水供給管２０を洗濯機の給水部バルブに連結しておけば自動的にタンク２１に水道水Ｗを供給することも可能となり、タンク２１に人が水道水Ｗを補給する手間が不要となって利便性が高まる。また、電気分解によって生成される次亜塩素酸により、ミスト生成器１２内での水の腐食や雑菌の繁殖を抑えることができる。さらに、フィルタ２９でミネラル分や不純物を除去することにより、電極部３０やミスト発生部２３にスケール（水垢）などが付着するのを防止することができ、ミスト発生に支障が無いようにしている。なお、この実施形態では、タンク２１のミスト供給部２２にフィルタ２９を設けたが、水道水供給管２０等にフィルタを設けてもかまわない。
【００５１】
図７は、ドラム式洗濯乾燥機に本願発明を適用した場合の実施形態を示す概略構成図であり、ミスト発生器１２の仕組みなどは前述してきた実施形態と同様である。
【００５２】
この実施形態のドラム式洗濯乾燥機は、洗濯槽として、外槽３３と、外槽３３内に回転可能に設けた横軸型の洗濯脱水槽（ドラム）３４とを含み、さらに、乾燥風を供給するための乾燥風路３５を備えている。
【００５３】
通常の水を用いた洗濯を行った後の乾燥工程では、循環用ファン３６によって排気口３７から循環ダクト３８に槽内の湿度の高い空気が吸い込まれ、水冷式除湿部３９で水分を除去された空気が循環用ファン３６を介してヒータ部４０に供給され、ヒータ部４０にて暖められて乾燥した空気が乾燥風路３５から図示しない軸部の周囲に形成された温風・ミスト兼用吹出口４１より洗濯脱水槽（ドラム）３４内に導かれて洗濯物から水分を奪い、洗濯脱水槽３４に形成された多数の小孔３４ａから再度排気口３７に戻るという循環で乾燥を行うものである。
【００５４】
次に、この図７の構成で、水を使わない無水洗濯モードで除菌、脱臭、汚れの分解を行う場合の動作を説明する。ミスト生成器１２で生成されたミストは、ミスト生成器１２に内蔵された前述のファン２４によって循環ダクト３８の温風・ミスト兼用吹出口４１の近くに送り出されて、循環用ファン３６によって温風・ミスト兼用吹出口４１から洗濯脱水槽３４内の洗濯物に噴霧される。洗濯物に噴霧されたミストｍは、洗濯物に付着した菌や汚れ等と反応し、除菌、脱臭、汚れの分解が行われる。このミスト噴霧時には、洗濯脱水槽３４が回転駆動され、洗濯物を攪拌しながらミストｍが噴霧されるので、ミストｍが洗濯物全体にかかるようになる。
【００５５】
その後、洗濯物の菌や汚れ等と未反応のミストを含む空気を排気口３７から回収し、循環ダクト３８を経て水冷式除湿部３９でミスト成分を除去し、循環用ファン３６、ヒータ部４０を経てから再度ミスト生成器１２よりミストを供給されて洗濯脱水槽３４内に噴霧される。
【００５６】
このような動作を行うことで、新しく生成したミストを次々と洗濯脱水槽３４内に供給できるので、除菌、脱臭、汚れ分解作用を向上させることができると共に、排気口３７から回収されたミスト成分を水冷式除湿部３９にて回収するので、酸化作用のあるミスト等が循環用ファン３６やヒータ部４０等を通ることが防げるため、循環用ファン３６やヒータ部４０を傷めずに済む。また、洗濯脱水槽３４内への乾燥風の吹出口４１をミストの噴霧口として有効利用したので、ミスト専用の噴霧口を新たに形成する必要がなく、低コストで、比較的容易に実現できる。また、ミストを噴霧する場合、必ずしもヒータ部４０をＯＮする必要はないが、ミスト化するミスト液が一番活性化する温度に空気を暖めるとよい。
【００５７】
以上、図１と図７にて、ミストによる無水洗濯と通常の水を使った洗濯の両方ができる洗濯機の構成を示したが、ミストによる洗濯専用の洗濯機として不必要な構成を排除して洗濯機を構成してもよい。また、予洗にミストによる洗濯を行い、本洗いに通常の水と洗剤を使った洗濯を行ったり、またその逆を行ったり、本洗いを通常の洗濯で、仕上げの除菌や脱臭をミストによる洗濯で行うなど、それぞれの洗濯法を組み合わせても節水につながると共に、それぞれの用途にあった使い方ができるので、より利便性が向上する。
【００５８】
本願発明の各実施形態の説明は以上の通りであるが、本願発明は上述の実施形態に限定されるものではなく、これらの他にも、特許請求の範囲で記載されている技術的事項の範囲内で、種々の変更を施すことができる。
【図面の簡単な説明】
【００５９】
【図１】本願発明による洗濯機の一実施形態として縦型の全自動洗濯機を示す概略構成図。
【図２】操作パネルに設けられたミスト設定部の構成図。
【図３】洗濯物の汚れ具合とミスト噴霧時間の対応関係を示す図。
【図４】ミスト生成器の実施形態を示す概略断面図。
【図５】ミスト生成器の他の実施形態を示す概略断面図。
【図６】ミスト生成器の更に他の実施形態を示す概略断面図。
【図７】本願発明による洗濯機の他の実施形態としてドラム式洗濯乾燥機を示す概略構成図。
【符号の説明】
【００６０】
１  洗濯機本体
２  上蓋
３  筐体
５  外槽
６  洗濯脱水槽
７  洗濯物
８  内蓋
９  パルセータ
１０  駆動部
１１  上面板
１２  ミスト生成器
１２ａ  ミスト設定部
１３  ミスト用ダクト
１４  ミスト噴霧口
１５  ミスト発生装置
２０  水道水供給管
２１  タンク
２２  ミスト液供給部
２３  ミスト発生部
２４  ファン
２５  ミスト供給部
２６  導電性細管
２７  高電圧発生部
２８  対向電極
２９  フィルタ
３０  電極部
３１  電解用電源
３３  外槽
３４  洗濯脱水槽（ドラム）
３５  乾燥風路
３６  循環用ファン
３７  排気口
３８  循環ダクト
３９  水冷式除湿部
４０  ヒータ部
４１  温風・ミスト兼用吹出口
ｍ  ミスト
Ｌ  ミスト液
Ｗ  水道水
【図１】
2005198860.tif 000003
【図２】
2005198860.tif 000004
【図３】
2005198860.tif 000005
【図４】
2005198860.tif 000006
【図５】
2005198860.tif 000007
【図６】
2005198860.tif 000008
【図７】
2005198860.tif 000009